(57)【要約】【課題】耐震性、耐火性、耐水性に優れ、内部に水が溜まらず、収骨の際熱くならない耐震遺骨容器を提供する。【解決手段】ステンレス製の容器本体１と、この容器本体１の上部開口にネジ式で固定されるステンレス製の蓋体２とよりなり、容器本体１の底部は、ドーム状の隆起部３が形成され、容器本体１の底部に水抜き孔４が設けられており、容器本体１の内周壁には、断熱材を介して金属製の内張７が設けられている耐震遺骨容器。容器本体１の外周には、真鍮メッキを施し、その真鍮メッキ表面に、エッチングにより装飾を施すことができる。また、容器本体１の外周の一部に、没年、俗名、戒名等の文字を描くことが可能な梨地部分を形成することができる。【選択図】  図１
2007020808.tif 000002
【特許請求の範囲】
【請求項１】
金属製の容器本体と、この容器本体の上部開口にネジ式で固定される金属製の蓋体とよりなり、前記容器本体の底部は、ドーム状に隆起し、かつ、容器本体の底部に水抜き孔が設けられており、前記容器本体の内周壁には、断熱材を介して金属製の板が内張されている耐震遺骨容器。
【請求項２】
前記容器本体はステンレスで形成されており、当該容器本体の外周には、真鍮メッキが施され、かつ、その真鍮メッキ表面には、エッチングにより装飾が施されている、請求項１記載の耐震遺骨容器。
【請求項３】
前記容器本体の外周の一部には、没年、俗名、戒名等の文字を描くことが可能な梨地部分が形成されている請求項１または２に記載の耐震遺骨容器。
【発明の詳細な説明】
【技術分野】
【０００１】
本発明は、地震により壊れて中の遺骨が散逸することのない遺骨容器に関する。
【背景技術】
【０００２】
遺骨を入れる骨壺は、旧来よりほとんどが容器と蓋とからなる陶磁器製であり、これを墓所に納めたり、納骨堂の棚に納めたりして設置している。
【０００３】
このような設置方法であると、特に納骨堂の場合、地震により棚から骨壺が床に落下し、その衝撃で骨壺が割れ、あるいは、骨壺が割れないにしても、蓋が外れて、中の遺骨が散乱し、別の骨壺から散乱した遺骨と混ざって分別不可能になるという問題がある。
【０００４】
このような問題の対策として、例えば特許文献１には、ステンレス製の４本の柱・板、天板および底板を組み立てて箱状にし、ステンレス板の外部にはエッチング加工で四神図を表し、内部には桐板にシルクスクリーン加工で経文を表し、蓋には深溝エッチング加工で須弥山および天空図を描き、四隅に空気抜きおよび水抜きを設けた骨箱が開示されている。
【０００５】
また、特許文献２には、骨壺を収容するための本体を有し、本体には密着して小径な貫通孔が開けてあり、本体の上端には上面突起部を設けた上蓋が設けてあり、本体の下端には、下面突起部を設けた下蓋が設けてあり、かつ本体の接合部の内側では第一補強切れが設けてあり、本体の下端の内側では第二補強切れが設けてあり、この構造により、全体の通気性、防炎性および防振性が優れた構造の骨壺の保護構造が開示されている。
【０００６】
特許文献３には、骨壺を、アルミニウムその他の金属製の容器体と、ネジ止め式の金属製の蓋体で構成し、蓋体の上部に、故人の生前のデータを記録したＣＤ−ＲＯＭを収納する収納部を設けたメモリアルカプセルが開示されている。
【０００７】
【特許文献１】実開平７−２１０３４号公報
【特許文献２】実用新案登録第３１０１４７３号公報
【特許文献３】実用新案登録第３０００５３４号公報
【発明の開示】
【発明が解決しようとする課題】
【０００８】
しかしながら、特許文献１に開示されたステンレス製骨箱は、内面が桐板製であるので、火葬場での収骨（骨揚げ）時に桐板が焦げたり、骨壺内部に水が溜まった場合、長期的に桐板が腐ったりして寿命が短いという問題がある。
【０００９】
特許文献２に開示された骨壺の保護構造は、骨壺を中に入れる構造であるので、骨壺が納骨堂の棚から落下しても骨壺を保護できる利点はあるが、骨壺とは別に製作する必要があり、いろいろなサイズや形状の骨壺に対応したものを準備しなければならない。
【００１０】
特許文献３に開示されたメモリアルカプセルは、骨壺部分は金属製で、材質によっては耐久性、耐火性があり、蓋体がネジ止め式であるので、落下しても蓋体が容器体からとれて散骨しないという利点はあるが、容器体内部に水が溜まった場合、なかなか抜けないという問題がある。また、容器体が金属製であると、収骨の際、熱が側壁に伝わり、熱いという問題がある。
【００１１】
骨壺を納める場所としては、墓石のカロート（骨壺を安置する小室）や、屋内の納骨堂、あるいは屋外のロッカー式の納骨堂があり、屋外に設置した場合、温度変化で骨壺の内部に水が溜まり、遺骨が傷むことがあるし、法事のときなど、溜まった水を骨壺からこぼすこともある。
【００１２】
本願発明は、耐震性、耐火性、耐水性に優れ、内部に水が溜まらず、収骨の際熱くならない耐震遺骨容器を提供することを目的とする。
【課題を解決するための手段】
【００１３】
前記課題を解決するため、本発明の耐震遺骨容器は、金属製の容器本体と、この容器本体の上部開口にネジ式で固定される金属製の蓋体とよりなり、前記容器本体の底部は、ドーム状に隆起し、かつ、容器本体の底部に水抜き孔が設けられており、前記容器本体の内周壁には、断熱材を介して金属製の板が内張されていることを特徴とする。
【００１４】
本発明においては、容器本体および蓋体が金属製であり、かつ容器本体と蓋体とはネジ式で固定されているので、地震により納骨堂の棚等から落下しても、割れたり蓋が外れたりして遺骨が床に散乱することがない。容器本体の底部はドーム状に隆起しているので、内部に納められる遺骨が容器本体の底部よりも上部に位置することになり、温度の変化により遺骨が水分を吸収したり排出したりするときに、下部の遺骨が水に浸かることがなく、また、容器本体の底部に水抜き孔が設けられているので、その都度、水は底部の水抜き孔から排出され、遺骨を傷めることがなくなる。さらに、容器本体の内周壁に、断熱材を介して金属製の板が内張されているので、火葬場での収骨（骨揚げ）の際に容器本体の外周に熱が伝わらず、手で持っても熱くなることがない。また、断熱材により容器本体内部の温度変化が小さくなるので、結露が少なくなる。
【００１５】
また、本発明は、前記容器本体をステンレスで形成し、当該容器本体の外周に真鍮メッキを施し、かつ、その真鍮メッキ表面に、エッチングにより装飾を施すことを特徴とする。容器本体をステンレスで形成することにより、耐火性はもちろん、耐水性を持たせることができる。また真鍮メッキ、エッチングを施すことにより、ステンレスの色である金属色の灰色一色よりも暖かみのある金色を加えることができ、また、従来の白で無地の陶磁器製の骨壺よりも荘厳な雰囲気を醸し出すことができる。
【００１６】
また、本発明は、前記容器本体の外周の一部には、没年、俗名、戒名等の文字を描くことが可能な梨地部分が形成されていることを特徴とする。このように容器本体自体に文字を書く部分を形成することにより、たとえ地震により遺骨容器が床に落ちたり二次火災により焼け跡に散らばったりしても、誰のものかを認識することができる。
【発明の効果】
【００１７】
本発明によれば、耐震性、耐火性、耐水性に優れ、内部に水が溜まらず、収骨の際熱くならない耐震遺骨容器が得られる。
【発明を実施するための最良の形態】
【００１８】
以下、本発明の実施の形態を、図面を参照しながら説明する。
＜第１実施の形態＞
図１は本発明の第１実施形態を示すもので、（ａ）は一部切欠正面図、（ｂ）は平面図、図２は図１（ａ）のＡ−Ａ線における断面図である。
【００１９】
これらの図において、耐震遺骨容器は、ステンレス製の筒型の容器本体１と、同じくステンレス製の蓋体２とよりなる。容器本体１は、底部にドーム状の隆起部３が形成されており、また隆起部３の周囲の底部には水抜き孔４が設けられている。底面下部には、三箇所に足５が設けられている。容器本体１の内部には、三箇所のスペーサ６を介してステンレス製板からなる内張７が固定されており、容器本体１の内周と内張７との間には、耐熱性の断熱材８が設けられている。この断熱材８としては、ＫＥＶＬＡＲ（デュポン社の商標）で知られるパラ系アラミド繊維を用いることができる。このパラ系アラミド繊維は、防弾チョッキに使用される素材であり、耐衝撃性、耐熱特性に優れ、分解温度が４２７〜４８２℃とされている。容器本体１の上部開口には蓋受けリング９が溶接等で固定されており、その外周には雄ねじが切られている。
【００２０】
蓋体２の下部のフランジ１０の内周には、蓋受けリング９外周の雄ねじと噛み合う雌ねじが切られている。また、蓋体２の上部には、蓋体を取り扱いやすいように、擬宝珠状の摘み１１が固定されている。容器本体１の外周は、２枚の半筒状のステンレス製板を継ぎ合わせることで形成することができ、その場合、継ぎ合わせ部を化粧帯板１２で隠すことができる。オプションとして、この化粧帯板１２の一つを外し、そこに梨地のステンレス板を張り付けて、没年、俗名、戒名等の文字を記入するようにすることもできる。
【００２１】
容器本体１は、ステンレスの生地のままであると、灰色の金属色一色で、無機質な感じとなるので、ステンレス製の容器本体１の外周に真鍮メッキを施し、かつ、その真鍮メッキ表面に、エッチングにより装飾を施すことにより、暖かみのある金色を加えることができる。また、装飾を施すことにより、従来の白で無地の陶磁器製の骨壺よりも荘厳な雰囲気を醸し出すことができる。
【００２２】
この第１実施の形態によれば、内部に遺骨を納めるときに、内張７と容器本体１の内壁との間に断熱材８が設けられているため、容器本体１を手で持っても熱くなることがない。収骨後、蓋体２を、フランジ１０内周の雌ねじと蓋受けリング９外周の雄ねじでネジ締めすることにより、容器本体１を閉塞することができる。この状態で、墓石や納骨堂に安置したとき、温度変化で内部に水が溜まろうとしても、水抜き孔４から水が排出され、またドーム状の隆起部３が遺骨を押し上げているので、底部に落ちた水により遺骨が濡れることがない。また、断熱材８が設けられているため、容器本体１内部の温度変化自体が小さくなる。万一、地震が来て容器本体１が倒れたり落下したりしても、容器本体１が割れるようなことはなく、また蓋体２が外れて中の遺骨が散乱することもない。
＜第２実施の形態＞
図３は本発明の第２実施形態を示すもので、（ａ）は一部切欠正面図、（ｂ）は平面図、図４は図３（ａ）のＢ−Ｂ線における断面図である。
【００２３】
これらの図において、耐震遺骨容器は、ステンレス製の六角筒型の容器本体２１と、同じくステンレス製の蓋体２２とよりなる。容器本体２１は、底部にドーム状の隆起部２３が形成されており、また隆起部２３の周囲の底部には水抜き孔２４が設けられている。底面下部には、三箇所に足２５が設けられている。容器本体２１の内部には、六箇所のスペーサ２６を介してステンレス製板からなる内張２７が固定されており、容器本体２１の内周と内張２７との間には、耐熱性の断熱材２８が設けられている。この断熱材２８としては、ＫＥＶＬＡＲ（デュポン社の商標）で知られるパラ系アラミド繊維を用いることができる。容器本体２１の上部開口には蓋受けリング２９が溶接等で固定されており、その外周には雄ねじが切られている。
【００２４】
蓋体２２の下部のフランジ３０の内周には、蓋受けリング２９外周の雄ねじと噛み合う雌ねじが切られている。また、蓋体２２の上部には、蓋体を取り扱いやすいように、擬宝珠状の摘み３１が固定されている。容器本体２１の六角形の外周は、オプションとして、一面を梨地とし、そこに没年、俗名、戒名等の文字を記入するようにすることもできる。
容器本体２１は、ステンレスの生地のままであると、灰色の金属色一色で、無機質な感じとなるので、ステンレス製の容器本体２１の外周に真鍮メッキを施し、かつ、その真鍮メッキ表面に、エッチングにより装飾を施すことにより、暖かみのある金色を加えることができる。また、装飾を施すことにより、従来の白で無地の陶磁器製の骨壺よりも荘厳な雰囲気を醸し出すことができる。
【００２５】
この第２実施の形態によれば、内部に遺骨を納めるときに、内張２７と容器本体２１の内壁との間に断熱材２８が設けられているため、容器本体２１を手で持っても熱くなることがない。収骨後、蓋体２２を、フランジ３０内周の雌ねじと蓋受けリング２９外周の雄ねじでネジ締めすることにより、容器本体２１を閉塞することができる。この状態で、墓石や納骨堂に安置したとき、温度変化で内部に水が溜まろうとしても、水抜き孔２４から水が排出され、またドーム状の隆起部２３が遺骨を押し上げているので、底部に落ちた水により遺骨が濡れることがない。また、断熱材２８が設けられているため、容器本体２１内部の温度変化自体が小さくなる。万一、地震が来て容器本体２１が倒れたり落下したりしても、容器本体２１が割れるようなことはなく、また蓋体２２が外れて中の遺骨が散乱することもない。
【００２６】
なお、この第２実施の形態では、容器本体２１の形状を六角筒型としたが、四角筒形、八角筒型など、他の多角形筒型とすることもできる。
【産業上の利用可能性】
【００２７】
本発明は、耐震性、耐火性、耐水性に優れ、内部に水が溜まらず、収骨の際熱くならない耐震遺骨容器として、利用することができる。
【図面の簡単な説明】
【００２８】
【図１】本発明の第１実施形態を示すもので、（ａ）は一部切欠正面図、（ｂ）は平面図である。
【図２】図１（ａ）のＡ−Ａ線における断面図である。
【図３】本発明の第２実施形態を示すもので、（ａ）は一部切欠正面図、（ｂ）は平面図である。
【図４】図３（ａ）のＢ−Ｂ線における断面図である。
【符号の説明】
【００２９】
１  容器本体
２  蓋体
３  隆起部
４  水抜き孔
５  足
６  スペーサ
７  内張
８  断熱材
９  蓋受けリング
１０  フランジ
１１  摘み
１２  化粧帯板
２１  容器本体
２２  蓋体
２３  隆起部
２４  水抜き孔
２５  足
２６  スペーサ
２７  内張
２８  断熱材
２９  蓋受けリング
３０  フランジ
３１  摘み
【図１】
2007020808.tif 000003
【図２】
2007020808.tif 000004
【図３】
2007020808.tif 000005
【図４】
2007020808.tif 000006